【手続補正書】
【提出日】平成17年4月27日(2005.4.27)
【手続補正１】
【補正対象書類名】特許請求の範囲
【補正対象項目名】請求項１
【補正方法】変更
【補正の内容】
【請求項１】
次式の化合物又はその製薬上許容できる塩。
【化１】
2005515961.tif 000001
［式中、
Ｖは、結合又は−（Ｃ＝Ｏ）−であり、
Ｗは、窒素、ＣＨ、Ｃ−ＯＨ又はＣ−ＣＮであり、
Ｘは、ハロゲン、ヒドロキシ、ニトロ、シアノ、−ＣＯ、オキソ及び式Ｌ−Ｍの基から選択され、
Ｙ及びＺは、それぞれ独立に（ｉ）ＣＨ、（ｉｉ）窒素であり、又は（ｉｉｉ）Ｒ5と結合して、Ｗ及びＶを含み、５〜８個の環構成員を有する炭素環式又は複素環式環を形成していて、ただし、Ｙ及びＺは両方が窒素となることはなく、
ｎは１又は２であり、
Ｒ1及びＲ2は、それぞれ独立に水素、ハロゲン、ヒドロキシ、ニトロ、シアノ、−ＣＯ、オキソ及び式Ｌ−Ｍの群から選択され、ただし、Ｒ1及びＲ2が水素である場合は、Ｖは−（Ｃ＝Ｏ）−であり、
Ｒ3は、（ｉ）水素、（Ｃ1〜Ｃ6）アルキル、（Ｃ2〜Ｃ6）アルケニル及びハロ（Ｃ1〜Ｃ6）アルキルから選択され、又は（ｉｉ）Ｒ6及びＲ10の１つ又は両方と結合して、１つの環又は２つの縮合環を有する炭素環式又は複素環式基を形成していて、各環が、５〜８個の環構成員並びに酸素、窒素及び硫黄から独立に選択される０、１又は２個のヘテロ原子を含み、
Ｒ4は、水素、（Ｃ1〜Ｃ6）アルキル又はハロ（Ｃ1〜Ｃ6）アルキルであり、
Ｒ5は、（ｉ）水素、ハロゲン、ヒドロキシ、ニトロ、シアノ、アミノ、オキソ、（Ｃ1〜Ｃ6）アルキル、（Ｃ2〜Ｃ6）アルケニル、（Ｃ2〜Ｃ6）アルキニル、（Ｃ1〜Ｃ6）アルコキシ、ハロ（Ｃ1〜Ｃ6）アルキル、ハロ（Ｃ1〜Ｃ6）アルコキシ、モノ及びジ（Ｃ1〜Ｃ6）アルキルアミノ並びにアミノ（Ｃ1〜Ｃ6）アルキルから各出現時に独立に選択され、もしくは
（ｉｉ）Ｒ6、Ｙ又はＺと結合して、５〜８個の環構成員を有する炭素環式又は複素環式環を形成していて、
Ｒ6は、（ｉ）水素、ハロゲン、ヒドロキシ、ニトロ、シアノ、アミノ、オキソ、（Ｃ1〜Ｃ6）アルキル、（Ｃ2〜Ｃ6）アルケニル、（Ｃ2〜Ｃ6）アルキニル、（Ｃ1〜Ｃ6）アルコキシ、ハロ（Ｃ1〜Ｃ6）アルキル、ハロ（Ｃ1〜Ｃ6）アルコキシ、モノ及びジ（Ｃ1〜Ｃ6）アルキルアミノ並びにアミノ（Ｃ1〜Ｃ6）アルキルから選択され、もしくは（ｉｉ）Ｒ3又はＲ5と結合して、炭素環式又は複素環式基を形成していて、
Ｒ7は、（ｉ）水素、ハロゲン、ヒドロキシ、ニトロ、シアノ、−ＣＯＯＨ、オキソ及び式Ｌ−Ｍの群から選択され、もしくは
（ｉｉ）Ｒ8又はＲ12と結合して、縮合５又は６員炭素環式又は複素環式基を形成していて、
Ｒ8は、（ｉ）水素、ハロゲン、ヒドロキシ、ニトロ、シアノ、−ＣＯＯＨ、オキソ及び式Ｌ−Ｍの群から選択され、もしくは
（ｉｉ）Ｒ7又はＲ11と結合して、縮合した５から１０員の炭素環式又は複素環式基を形成していて、
Ｕは、Ｎ、Ｏ又はＣＲ9であり、
Ｔは、Ｎ、Ｏ又はＣＲ10であり、
Ｒ9は、（ｉ）水素、ハロゲン、ヒドロキシ、ニトロ、シアノ、−ＣＯＯＨ、オキソ及び式Ｌ−Ｍの群から選択され、もしくは
（ｉｉ）Ｒ10又はＲ11と結合して、縮合した５から１０員の炭素環式又は複素環式基を形成していて、
Ｒ10は、（ｉ）水素、ハロゲン、ヒドロキシ、ニトロ、シアノ、−ＣＯＯＨ、オキソ及び式Ｌ−Ｍの群から選択され、もしくは
（ｉｉ）Ｒ3、Ｒ8又はＲ9と結合して、炭素環式又は複素環式基を形成していて、
Ｒ11は、（ｉ）水素、ハロゲン、ヒドロキシ、ニトロ、シアノ、−ＣＯＯＨ、オキソ及び式Ｌ−Ｍの群から選択され、もしくは
（ｉｉ）Ｒ8及びＲ9の１つ又は両方と結合して、縮合した５から１０員の炭素環式又は複素環式基を形成していて、
Ｒ12は、（ｉ）水素、ハロゲン、ヒドロキシ、ニトロ、シアノ、アミノ、オキソ、（Ｃ1〜Ｃ6）アルキル、（Ｃ2〜Ｃ6）アルケニル、（Ｃ2〜Ｃ6）アルキニル、（Ｃ1〜Ｃ6）アルコキシ、ハロ（Ｃ1〜Ｃ6）アルキル、ハロ（Ｃ1〜Ｃ6）アルコキシ、モノ及びジ（Ｃ1〜Ｃ6）アルキルアミノ並びにアミノ（Ｃ1〜Ｃ6）アルキルから各出現時に独立に選択され、もしくは
（ｉｉ）Ｒ7と結合して、縮合炭素環式又は複素環式環を形成していて、
Ｌは、結合、−ＮＲ14−、−Ｏ−、−ＳＯ2−、−ＳＯ2ＮＨ−、Ｃ（＝Ｏ）ＮＲ14−又はＮＲ14Ｃ（＝Ｏ）−であり、Ｒ14は、水素、（Ｃ1〜Ｃ6）アルキル、（Ｃ2〜Ｃ6）アルケニル、（Ｃ2〜Ｃ6）アルキニル及びハロ（Ｃ1〜Ｃ6）アルキルから各出現時に独立に選択され、
Ｍは、水素、（Ｃ1〜Ｃ6）アルキル、（Ｃ2〜Ｃ6）アルケニル、（Ｃ2〜Ｃ6）アルキニル、ハロ（Ｃ1〜Ｃ6）アルキル、アミノ（Ｃ1〜Ｃ6）アルキル又は５〜１０員炭素環であり、ただし、Ｒ11がハロゲンで、Ｖが結合である場合は、Ｒ10、Ｒ3及びＲ4の少なくとも１つが水素でない。］
【手続補正２】
【補正対象書類名】明細書
【補正対象項目名】０００８
【補正方法】変更
【補正の内容】
【０００８】
【化１】
2005515961.tif 000002
［式中、
Ｖは、結合又は−（Ｃ＝Ｏ）−であり、
Ｗは、窒素、ＣＨ、ＣＯＨ又はＣＣＮであり、
Ｘは、ハロゲン、ヒドロキシ、ニトロ、シアノ、−ＣＯＯＨ、オキソ及び式Ｌ−Ｍの基であり、
Ｙ及びＺは、それぞれ独立に（ｉ）ＣＨ、（ｉｉ）窒素であり、又は（ｉｉｉ）Ｒ5と結合して、Ｗ及びＶを含み、５〜８個の環構成員を有する炭素環式又は複素環式環を形成していて、ただし、Ｙ及びＺは両方が窒素となることはなく、
ｎは１又は２であり、
Ｒ1及びＲ2は、それぞれ独立に水素、ハロゲン、ヒドロキシ、ニトロ、シアノ、−ＣＯＯＨ、オキソ及び式Ｌ−Ｍの群から選択され、ただし、もしＲ1及びＲ2が水素ならば、Ｖは−（Ｃ＝Ｏ）−であり、
Ｒ3は、（ｉ）水素、（Ｃ1〜Ｃ6）アルキル、（Ｃ2〜Ｃ6）アルケニル及びハロ（Ｃ1〜Ｃ6）アルキルから選択され、又は（ｉｉ）Ｒ6及びＲ10の１つ又は両方と結合して、１つの環又は２つの縮合環を有する炭素環式又は複素環式基を形成していて、各環が、５〜８個の環構成員並びに酸素、窒素及び硫黄から独立に選択される０、１又は２個のヘテロ原子を含み、
Ｒ4は、水素、（Ｃ1〜Ｃ6）アルキル又はハロ（Ｃ1〜Ｃ6）アルキルであり、
Ｒ5は、（ｉ）水素、ハロゲン、ヒドロキシ、ニトロ、シアノ、アミノ、オキソ、（Ｃ1〜Ｃ6）アルキル、（Ｃ2〜Ｃ6）アルケニル、（Ｃ2〜Ｃ6）アルキニル、（Ｃ1〜Ｃ6）アルコキシ、ハロ（Ｃ1〜Ｃ6）アルキル、ハロ（Ｃ1〜Ｃ6）アルコキシ、モノ及びジ（Ｃ1〜Ｃ6）アルキルアミノ並びにアミノ（Ｃ1〜Ｃ6）アルキルから各出現時に独立に選択され、もしくは
（ｉｉ）Ｒ6、Ｙ又はＺと結合して、５〜８個の環構成員を有する炭素環式又は複素環式環を形成していて、
Ｒ6は、（ｉ）水素、ハロゲン、ヒドロキシ、ニトロ、シアノ、アミノ、オキソ、（Ｃ1〜Ｃ6）アルキル、（Ｃ2〜Ｃ6）アルケニル、（Ｃ2〜Ｃ6）アルキニル、（Ｃ1〜Ｃ6）アルコキシ、ハロ（Ｃ1〜Ｃ6）アルキル、ハロ（Ｃ1〜Ｃ6）アルコキシ、モノ及びジ（Ｃ1〜Ｃ6）アルキルアミノ並びにアミノ（Ｃ1〜Ｃ6）アルキルから選択され、もしくは（ｉｉ）Ｒ3又はＲ5と結合して、上記の炭素環式又は複素環式基を形成していて、
Ｒ7は、（ｉ）水素、ハロゲン、ヒドロキシ、ニトロ、シアノ、−ＣＯＯＨ、オキソ及び式Ｌ−Ｍの群から選択され、もしくは
（ｉｉ）Ｒ8又はＲ12と結合して、縮合５又は６員炭素環式又は複素環式基を形成していて、
Ｒ8は、（ｉ）水素、ハロゲン、ヒドロキシ、ニトロ、シアノ、−ＣＯＯＨ、オキソ及び式Ｌ−Ｍの群から選択され、もしくは
（ｉｉ）Ｒ7又はＲ11と結合して、縮合した５から１０員の炭素環式又は複素環式基を形成していて、
Ｕは、Ｎ、Ｏ又はＣＲ9であり、
Ｔは、Ｎ、Ｏ又はＣＲ10であり、
Ｒ9は、（ｉ）水素、ハロゲン、ヒドロキシ、ニトロ、シアノ、−ＣＯＯＨ、オキソ及び式Ｌ−Ｍの群から選択され、もしくは
（ｉｉ）Ｒ10又はＲ11と結合して、縮合した５から１０員の炭素環式又は複素環式基を形成していて、
Ｒ10は、（ｉ）水素、ハロゲン、ヒドロキシ、ニトロ、シアノ、−ＣＯＯＨ、オキソ及び式Ｌ−Ｍの群から選択され、もしくは
（ｉｉ）Ｒ3、Ｒ8又はＲ9と結合して、炭素環式又は複素環式基を形成していて、
Ｒ11は、（ｉ）水素、ハロゲン、ヒドロキシ、ニトロ、シアノ、−ＣＯＯＨ、オキソ及び式Ｌ−Ｍの群から選択され、もしくは
（ｉｉ）Ｒ8及びＲ9の１つ又は両方と結合して、縮合した５から１０員の炭素環式又は複素環式基を形成していて、
Ｒ12は、（ｉ）水素、ハロゲン、ヒドロキシ、ニトロ、シアノ、アミノ、オキソ、（Ｃ1〜Ｃ6）アルキル、（Ｃ2〜Ｃ6）アルケニル、（Ｃ2〜Ｃ6）アルキニル、（Ｃ1〜Ｃ6）アルコキシ、ハロ（Ｃ1〜Ｃ6）アルキル、ハロ（Ｃ1〜Ｃ6）アルコキシ、モノ及びジ（Ｃ1〜Ｃ6）アルキルアミノ並びにアミノ（Ｃ1〜Ｃ6）アルキルから各出現時に独立に選択され、もしくは
（ｉｉ）Ｒ7と結合して、縮合炭素環式又は複素環式環を形成していて、
Ｌは、結合、−ＮＲ14−、−Ｏ−、−ＳＯ2−、−ＳＯ2ＮＨ−、Ｃ（＝Ｏ）ＮＲ14−及びＮＲ14Ｃ（＝Ｏ）−から各出現時に独立に選択され、Ｒ14は、水素、（Ｃ1〜Ｃ6）アルキル、（Ｃ2〜Ｃ6）アルケニル、（Ｃ2〜Ｃ6）アルキニル及びハロ（Ｃ1〜Ｃ6）アルキルから各出現時に独立に選択され、
Ｍは、水素、（Ｃ1〜Ｃ6）アルキル、（Ｃ2〜Ｃ6）アルケニル、（Ｃ2〜Ｃ6）アルキニル、ハロ（Ｃ1〜Ｃ6）アルキル、アミノ（Ｃ1〜Ｃ6）アルキル及び５〜１０員炭素環から各出現時に独立に選択され、ただし、もしＲ11がハロゲンで、Ｖが結合ならば、Ｒ10、Ｒ3及びＲ4の少なくとも１つが水素でない。］
【手続補正３】
【補正対象書類名】明細書
【補正対象項目名】００７３
【補正方法】変更
【補正の内容】
【００７３】
Ｌは、結合、−ＮＲ14−、−Ｏ−、−ＳＯ2−、−ＳＯ2ＮＨ−、Ｃ（＝Ｏ）ＮＲ14−又はＮＲ14Ｃ（＝Ｏ）−であり、Ｒ14は、水素、（Ｃ1〜Ｃ6）アルキル、（Ｃ2〜Ｃ6）アルケニル、（Ｃ2〜Ｃ6）アルキニル及びハロ（Ｃ1〜Ｃ6）アルキルから各出現時に独立に選択される。